(57)【要約】【課題】  入力データと出力データとの関係性が非線形であっても、入力データから出力データの複数のパラメータ値が分布する領域を推定する系統断面データ管理装置および方法を提供することにある。【解決手段】  入力データと、入力データを分析して複数の出力パラメータを有する出力データと、入力データと前記出力データとの対応を複数記憶させる。出力データを、複数の出力パラメータの二つのパラメータに対応した二つの軸にプロットした出力データ分布を、分割する分割条件を抽出し、分割条件により出力データ分布を分割し、分割された出力データ分布の出力データを、二つの軸に対応した第１および第２の出力データ分布ルールとして導出する。新たな入力データに第１および第２の出力データ分布ルールを適応して第１のおよび第２の出力データ分布領域候補とを算出し、これを組み合わせて、新たな入力データの出力データ分布領域を推定する。【選択図】  図３
2019221008.tif 000002
【特許請求の範囲】
【請求項１】
複数の入力パラメータを有する系統断面データの入力データと、前記入力データを分析して複数の出力パラメータを有する出力データと、前記入力データと前記出力データとの対応を複数記憶させる分布ルール抽出準備部と、
前記出力データを、前記複数の出力パラメータの少なくとも二つのパラメータに対応した少なくとも二つの軸にプロットした出力データ分布を、複数の領域に分割する前記二つの軸に対応した分割条件を抽出し、前記分割条件により前記出力データ分布を分割し、前記分割された前記出力データ分布の前記出力データを、前記二つの軸にそれぞれ対応した分割条件以上或いは以下の出力データに対応する入力データ群を第１及び第２の入力データグループとして、前記第１の入力データグループに所属するルールを第１の出力データ分布ルールとし、前記第２の入力データグループに所属するルールを第２の出力データ分布ルールとして導出する出力データ分布ルール導出部と、
新規な系統断面データを新たな入力データとし、前記新たな入力データに前記第１の出力データ分布ルールを適応して得られる第１の出力データ分布領域候補と、前記第２の出力データ分布ルールを適用して得られる第２の出力データ分布領域候補とを算出し、前記第１の出力データ分布領域候補と前記第２の出力データ分布領域候補とを組み合わせて、前記新たな入力データの出力データ分布領域を推定する出力データ分布推定部とを有することを特徴とする系統断面データ管理装置。
【請求項２】
前記分布ルール抽出準備部は、
複数の入力パラメータを有する系統断面データを、前記入力データとして収集し、入力データ毎に入力データＩＤを付して入力データに含まれる複数のパラメータと対応させて記憶させる系統断面データ収集部と、
前記入力データに対するデータの分析結果を出力データとして、出力データ毎に出力データＩＤを付して、出力データに含まれる複数のパラメータと対応させて記憶させる分析結果収集部と、
前記分析結果収集部により記憶された出力データに対応する入力データＩＤを関連付けて記憶する入出力データ関連付け部とを有することを特徴とする請求項１記載の系統断面データ管理装置。
【請求項３】
前記出力データ分布ルール導出部は、
前記分布ルール抽出準備部から複数の出力データを読み出し、前記複数の出力データを、前記複数の出力パラメータの少なくとも二つのパラメータをＸ軸、Ｙ軸にプロットした出力データ分布が、Ｘ＞ＸｒｎかつＹ＞Ｙｒｎの領域を第１の領域、Ｘ＜ＸｒｎかつＹ＞Ｙｒｎを第２の領域、Ｘ＜ＸｒｎかつＹ＜Ｙｒｎを第３の領域、Ｘ＞ＸｒｎかつＹ＜Ｙｒｎ第４の領域とした場合、前記第1の領域および第３の領域である第１の分割パターンあるいは、第２の領域および第４の領域である第２の分割パターンの何れかとなるように分割する前記分割条件（Ｘｒｎ、Ｙｒｎ）を抽出する出力データ分布領域分割部を有することを特徴とする請求項１記載の系統断面データ管理装置。
【請求項４】
前記出力データ分布ルール導出部は、
前記第１の領域から第４の領域の内、特定領域に存在する出力データ群に対応する入力データ群を入力データグループとし、新規入力データが前記入力データグループに所属するか判定するルールを導出するルール導出部を有することを特徴とする請求項３記載の系統断面データ管理装置。
【請求項５】
前記出力データ分布推定部は、
入力データを取得する新規入力データ取得部と、
前記新規入力データ取得部により入力された入力データに前記第１の出力データ分布ルール及び第２の出力分布ルールを適応し、出力データ分布領域を絞り込む処理を行う出力データ分布ルール組合せ部を有することを特徴とする請求項１記載の系統断面データ管理装置。
【請求項６】
前記分割条件により前記複数の出力データを分割した状態を前記二つの軸と共に表示する表示装置を有することを特徴とする請求項１記載の系統断面データ管理装置。
【請求項７】
前記表示装置は、前記出力データ分布推定部により推定された推定分布領域を表示することを特徴とする請求項６記載の系統断面データ管理装置。
【請求項８】
前記入出力データ関連付け部により対応付けられた分析対象とする入力データを選択する入力データ選択手段とを備える請求項７記載の系統断面データ管理装置。
【請求項９】
前記表示装置は、入力データに対し出力データの分布が対応している場合には、特定の領域を表示し、入力データに対し出力データの分布が対応していない場合には、分析前であることを表示させるデータ管理情報出力部を有することを特徴とする請求項７記載の系統断面データ管理装置。
【請求項１０】
複数の入力パラメータを有する系統断面データを入力データとして入力し、
前記入力データを分析して複数の出力パラメータを有する出力データを入力し、
前記入力データと前記出力データとを対応させて記憶し、
前記出力データを、前記複数の出力パラメータの少なくとも二つのパラメータに対応した少なくとも二つ軸にプロットした出力データ分布を複数の領域に分割する前記二つの軸に対応した分割条件を抽出し、
前記分割条件により前記出力データ分布を分割し、
前記分割された前記出力データ分布の前記出力データを、前記二つの軸にそれぞれ対応した分割条件以上の出力データに対応する入力データ群を第１及び第２の入力データグループとして、前記第１の入力データグループ所属するルールを第１の出力データ分布ルールとし、前記第２の入力データグループに所属するルールを第２の出力データ分布ルールとして導出し、
新規な系統断面データを新たな入力データとし、前記新たな入力データに前記第１の出力データ分布ルールを適応して得られる第１の出力データ分布領域候補と、前記第２の出力データ分布ルールを適用して得られる第２の出力データ分布領域候補とを算出し、
前記第１の出力データ分布領域候補と前記第２の出力データ分布領域候補とを組み合わせて、前記新たな入力データの出力データ分布領域を推定することを特徴とする系統断面データ管理方法。
【請求項１１】
前記分割条件により前記複数の出力データを分割した状態を前記二つの軸と共に表示することを特徴とする請求項１０記載の系統断面データ管理方法。
【請求項１２】
前記推定された推定分布領域を表示することを特徴とする請求項１１記載の系統断面データ管理方法。
【請求項１３】
入力データに対し出力データの分布が対応している場合には特定の領域を表示し、入力データに対し出力データの分布が対応していない場合には、分析前であることを表示することを特徴とする請求項１２記載の系統断面データ管理方法。
【請求項１４】
前記表示された出力データ分布領域を選択し、前記選択された出力データに対応する入力データのパラメータを、前記出力データのパラメータ候補として表示することを特徴とする請求項１２記載の系統断面データ管理方法。
【発明の詳細な説明】
【技術分野】
【０００１】
本発明は電力系統などの設備の運用およびその計画おいて利用される技術に関する。
【背景技術】
【０００２】
相関関係にある製造因子データと品質検査データの相関性を利用し、品質検査データから生成する品質指標と相関が高い潜在変数を特定し、品質検査データを目標に近づけるために製造因子の調整内容を提示する技術が特許文献１に記載されている。この特許文献１は、ＰＬＳ演算手段を用いることで、品質指標と相関が高い潜在変数との相関が線形である場合に、任意の品質指標を達成するために潜在変数がとるべき値を線形の相関関係から予測することで製造因子の調整内容を決定している。
【先行技術文献】
【特許文献】
【０００３】
【特許文献１】特開２０１０−２１８１８７号公報
【発明の概要】
【発明が解決しようとする課題】
【０００４】
特許文献１では、品質指標と相関が高い潜在変数との相関が線形である場合に、任意の品質指標を達成するために潜在変数がとるべき値を線形の相関関係から予測することで製造因子の調整内容を決定しているため、品質指標と、品質指標と相関が高い潜在変数との相関が非線形である場合、つまり、関係性はあるが相関関係が線形関数で表現できない場合の潜在変数がとるべき値を予測することについては考慮されていない。そのため、製造因子の調整内容を決定することや、製造因子から品質指標の値を推定することに課題がある。
【０００５】
そこで、本発明は複数のパラメータ値から構成される入力データを処理して複数のパラメータ値から構成される出力データを出力する処理において、潜在変数に対応する入力データの複数パラメータと、品質指標に対応する出力データの複数パラメータの関係性が非線形であっても、入力データから出力データの複数のパラメータ値が分布する領域を推定することができる系統断面データ管理装置および方法を提供することを目的とする。
【課題を解決するための手段】
【０００６】
上記課題を解決するために、本発明は、好ましくは、複数の入力パラメータを有する系統断面データの入力データと、入力データを分析して複数の出力パラメータを有する出力データと、入力データと前記出力データとの対応を複数記憶させる分布ルール抽出準備部を有する。また、出力データを、複数の出力パラメータの少なくとも二つのパラメータに対応した少なくとも二つの軸にプロットした出力データ分布を、複数の領域に分割する二つの軸に対応した分割条件を抽出し、分割条件により出力データ分布を分割し、分割された出力データ分布の出力データを、二つの軸にそれぞれ対応した分割条件以上或いは以下の出力データに対応する入力データ群を第１及び第２の入力データグループとして、第１の入力データグループに所属するルールを第１の出力データ分布ルールとし、第２の入力データグループに所属するルールを第２の出力データ分布ルールとして導出する出力データ分布ルール導出部とを有する。さらに、新規な系統断面データを新たな入力データとし、新たな入力データに第１の出力データ分布ルールを適応して得られる第１の出力データ分布領域候補と、第２の出力データ分布ルールを適用して得られる第２の出力データ分布領域候補とを算出し、第１の出力データ分布領域候補と前記第２の出力分布領域候補とを組み合わせて、新たな入力データの出力データ分布領域を推定する出力データ分布推定部とを有する。
【発明の効果】
【０００７】
本発明によれば、系統断面データが保持する複数のパラメータ値（入力データ）と系統断面データに対する解析や分析の結果である複数のパラメータ値(出力データ)との関係が非線形であっても、入力データから出力データの分布領域を絞り込むことができる。
上記した以外の課題、構成および効果は、以下の実施形態の説明により明らかにされる。
【図面の簡単な説明】
【０００８】
【図１】データ管理対象である系統断面データの例を示す図。
【図２】系統断面データ分析結果の分布の例を示す図。
【図３】系統断面データ管理装置の例を示す図。
【図４】系統断面データ管理装置の処理フロー概要を示す図。
【図５】入力データ管理表の例を示す図。
【図６】出力データ管理表の例を示す図。
【図７】分布ルール抽出準備フローを示す図。
【図８】出力データ分布領域分割フローを示す図。
【図９】出力データ分布領域分割パターンの例を示す図。
【図１０】出力データ分布領域管理表の例を示す図。
【図１１】出力データ分布推定フローを示す図。
【図１２】データ管理情報を出力する系統断面データ管理装置の例を示す図。
【図１３】系統断面データ管理画面の例を示す図。
【図１４】パラメータ候補を出力する系統断面データ管理装置の例を示す図。
【図１５】パラメータ候補提示画面の例を示す図。
【図１６】出力データ分布ルール導出フローを示す図。
【図１７】入力データグループ管理表の例を示す図。
【発明を実施するための形態】
【０００９】
まず、本技術が適応される分野の一例について、簡単に説明する。
本技術は、電力系統などの設備の運用およびその計画おいて利用され、運用や計画時点での電力系統や設備の状態を示す複数のパラメータを保持する系統断面データに関して、系統断面データを入力データとして解析や分析し、その結果である出力データが分布する領域を推定し、その推定した出力データ分布領域の違いにより系統断面データを分類して管理する技術に適応されうる。
【００１０】
複数の系統断面データの解析や分析の結果から、出力データが分布する領域を複数に分割し、出力データのパラメータの分布領域と入力データの関係を示す出力データ分布ルールを出力データのパラメータごとに複数導出し、複数の出力データ分布ルールを新たな入力データに適用することで出力データの分布領域候補を複数推定する。
【００１１】
この技術によれば、電力系統の入力データについて、分析する前に出力データの分布を予測できるので、分析に時間をかけることなく電力系統の脆弱性や復旧不可による障害予兆を検知することが可能となる。なお、電力系統以外にも消費者に上水を提供する配水系統の設備保守計画策定のための分析にも活用することができる。例えば、設備の保守箇所、地域ごとの地盤の強さを入力パラメータとして、地震発生時に漏水や配管の破裂などの危険性がある箇所と影響を受ける世帯数を出力パラメータとする。この配水系統に対する分析により災害発生時の復旧コストや被害範囲を予測することが可能となる。この予測結果から災害時の復旧コストや被害範囲を低減するように保守計画を修正していくことができる。また、都市ガスの配管についても同様の分析が適用できる。
以下、発明の実施の形態を、図面を用いて説明する。
【実施例１】
【００１２】
＜基本：出力データの予測＞
実施例１では、複数の入力データに対し系統断面データ分析装置が分析した複数の出力データの分布領域を分割する。新たに分析したい入力データの分析結果である出力データが、分割した複数領域のうちどの領域に分布するかを推定する例を示す。例えば、実施例１によれば、電力系統の入力データについて、分析する前に出力データの分布を予測できるので、電力系統や水道系統の障害等の予兆検知が可能となる。
【００１３】
また、系統断面データの分析に時間がかかる場合、分析する前に予測した出力データが過去の分析結果と同一分布の場合より、出力データの分布が異なる入力データを優先的に分析することで異なる分析結果を比較検証する分析を含む系統運用や計画業務を効率化できる。
【００１４】
以降では、ここで扱う系統断面データの例、系統断面データを系統断面データ分析装置の入力データとした場合の複数のパラメータの例、系統断面データ分析装置の出力データを構成する複数のパラメータとその分布の例を示し、出力データ分布領域を推定する系統断面データ管理装置・方法を説明する。
【００１５】
＜断面データの解析、分析の例について＞
図１に実施例１においてデータ管理対象とする系統断面データの例を示す。図１の系統断面データ１０２は電力系統１０１に含まれる電源、変電所などの設備とそれらの接続関係を任意の時刻で切り取ったデータである。この系統断面データ１０２には、電源の発電量や変電所間および電源と変電所を接続する送電線端の位相などをパラメータとして含む。パラメータは切り取った時刻ごとに異なり、過去、現在、未来（計画）の複数の時刻における系統断面データを分析結果の分布に応じて管理する。
【００１６】
図２では系統断面データを入力データとした線路脆弱性分析の結果の分布例を示す。例えば、系統断面データ１０２に含まれる１つの電源Ａ１０３に着目して、その発電量（ＭＷｈ）と位相（シータ）をそれぞれＸ軸、Ｙ軸にとり、系統断面が対象とする時刻ごとにプロットすると電源Ａの発電量および位相の２パラメータを持つ入力データ分布２０１となる。この入力データ分布２０１に含まれる各データに対して、系統断面データ分析装置２０２にて分析した結果の分布をプロットしたのが出力データ分布２０３である。
【００１７】
実施例１では、系統断面データ分析装置２０２が線路脆弱性分析２０４を実行することを例として説明する。線路脆弱性分析２０４は、電力系統の送電線のうち、１本が何らかの原因により利用不可となった場合のＮ−１状態から復旧可否を予測する分析である。この分析を実行することにより、電力系統の脆弱箇所の個数や脆弱エリアの数がわかる。
【００１８】
出力データ分布２０３では、線路脆弱性分析２０４の結果を、脆弱エリアの数を横軸（Ｘ軸）、脆弱箇所の個数を縦軸（Ｙ軸）とし、脆弱箇所の個数および脆弱エリアの数の２つのパラメータをＸ軸、Ｙ軸に対応させて出力データの分布を表現している。実施例１では、パラメータの数を２としているが、パラメータの数の増加させたい場合は、軸の数に応じて軸の数を増やせばよい。
【００１９】
図２に示す例では、脆弱箇所は多いが脆弱エリア数が少ない局所多数グループ２０５、脆弱箇所は少ないが脆弱エリア数が多い広範囲少数グループ２０６、にわけられる。このような出力データ分布を系統断面データ分析装置により分析される前に推定し、その推定結果により系統断面データを分類して管理する系統断面データ管理装置の例を以降では説明する。
【００２０】
＜系統断面データ管理装置：構成＞
図３は、実施例１における系統断面データ管理を実現する装置の構成例を示した図である。
この系統断面データ管理装置３０１は、メモリ３１１と、ＣＰＵ３１２と、通信装置３１３と、ハードディスクなどの記憶装置３１４と、入力装置３１５と、表示装置３１６とを備える一般的なコンピュータを用いて実現することができる。
【００２１】
入力装置３１５は、キーボードやマウスなどのコンピュータに指示を入力するための装置であり、プログラム起動などの指示を入力する。表示装置３１６は、ディスプレイなどであり、系統断面データ管理装置３０１による処理の実行状況や実行結果などを表示する。ＣＰＵ３１２は、メモリ３１１に格納される各種プログラムを実行する。通信装置３１３は、ＬＡＮ（Ｌｏｃａｌ  Ａｒｅａ  Ｎｅｔｗｏｒｋ）などを介して、他の装置と各種データやコマンドを交換する。記憶装置３１４は、系統断面データ管理装置３０１を実行するための各種プログラム３２１、系統断面データ生成装置３０２が生成する様々な時刻の系統断面データに含まれるパラメータ値の集合である入力データ３３１、系統断面データ分析装置２０２が系統断面データを分析した結果の複数パラメータ値を含む出力データ３３２、出力データの分布領域を分割する分割条件である分割条件データ３３３、入力データ３３１の分析結果が出力データ分布領域のどの領域に分布するか推測する個別パラメータ分布ルール３３４、個別パラメータ分布ルール３３４を複数組合せることで絞り込んだ結果の出力データ分布タグ３３５を保存する。
【００２２】
系統断面データ管理装置３０１が持つＣＰＵ３１２は、記憶装置３１４に格納されたプログラム３２１と各種データをメモリ３１１に読み出して実行する。プログラム３２１には、分布ルール抽出準備部３４１、出力データ分布ルール導出部３４２、出力データ分布推定部３４３が含まれる。
【００２３】
＜系統断面データ管理装置：全体処理フロー＞
図４は、系統断面データ管理装置の処理フロー概要を示す図である。つまり、図４は、図３に示す系統断面データ管理装置が系統断面データ分析装置の第１の入力データと第１の入力データの分析結果である第１の出力データの分布の関係性から出力データ分布ルールを導出する処理を示したものである。第２の入力データに出力データ分布ルールを適用することで、第２の入力データが分析される前に第２の出力データが所属する出力データ分布領域を推定する処理フローの例である。本処理フローの概要を示した後、各処理部の詳細を説明する。
【００２４】
まず、分布ルール抽出準備部３４１が系統断面データ生成装置３０２により生成された系統断面データを受信し、図５に示す入力データ管理表５０１に登録する（処理４０１）。入力データ管理表５０１は、図３に示した記憶装置３１４内の入力データ３３１として記憶される。その後、系統断面データ分析装置に入力される入力データ、出力データ、および入出力データの対応関係を監視する（処理４０２）。
【００２５】
処理４０３で出力データを検知後、出力データおよび入出力データの対応関係である入出力関係データを図６に示す出力データ管理表６０１に登録する（処理４０４）。出力データ管理表６０１は、図３に示した記憶装置３１４内の出力データ３３２として記憶される。入力データと出力データとの対応について説明する。系統断面データ管理装置３０１が、系統断面データ生成装置３０２から受信した入力データである系統断面データを入力データ管理表５０１に登録する際に、入力データに対して入力ＩＤを付加する。系統断面データ分析装置２０２は、系統断面データ管理装置３０１から受信した入力ＩＤが付された入力データを分析し、分析結果に入力ＩＤを付して系統断面データ管理装置３０１に送信することで、入出力データ関連付け部３５３は関連付けて、図６に示した出力データ管理表６０１に登録する。ここまでが、分布ルール抽出準備部３４１の処理となる。
【００２６】
出力データ分布ルール導出部３４２は、複数の出力データが出力データ管理表に登録された後に処理を開始し、出力データ分布領域を出力データに含まれる複数のパラメータ値を分割する分割条件（Ｘｒ，Ｙｒ）を抽出する（処理４０６）。出力データ管理表６０１から複数の出力データを読出し、この複数の出力データの複数の出力パラメータの内、脆弱エリア数Ｘと脆弱箇所Ｙの２パラメータを、それぞれＸ軸、Ｙ軸として出力データをプロットした出力データ分布とする。そして出力データ分布から分割条件を算出する。出力データが脆弱箇所と脆弱エリア数といった２パラメータから構成されるので、脆弱エリア数をＸ軸、脆弱箇所をＹ軸とし、脆弱エリア数がＸｒ以上か未満か、脆弱箇所がＹｒ以上か未満か、により出力データＮ（Ｘｎ、Ｙｎ）の分布領域を分割する。このＸｒおよびＹｒが分割条件の一例となる。
【００２７】
処理４０７では、分割条件により出力データ分布領域を分割する。例えば、分割条件として前述のＸｒ、Ｙｒが抽出されたとすると、出力データＮ（Ｘｎ、Ｙｎ）に関して、Ｘｎ＞ＸｒかつＹｎ＞Ｙｒとなる第１の領域２３０１（図２参照）、Ｘｎ＜ＸｒかつＹｎ＞Ｙｒとなる第２の領域２３０２、Ｘｎ＜ＸｒかつＹｎ＜Ｙｒとなる第３の領域２０３３、Ｘｎ＞ＸｒかつＹｎ＜Ｙｒとなる第４の領域２０３４、の４領域に出力データ分布領域を分割し、出力データが４領域の何れに属するか判断し、出力データ所属グループＩＤを付す。例えば、分割された出力データが第１の領域に存在する場合は出力データ所属グループにＧ００１、第２の領域の場合はＧ００２として、図５の入力データ管理表及び図６の出力データ管理表の出力データ所属グループに登録する。
【００２８】
処理４０８では、出力データ分布ルール導出部３４２が入力データを系統断面データ分析装置２０２により分析した場合の出力データの分布候補を推定する出力データ分布ルールを計算する。
【００２９】
例えば、分割条件が前述のＸｒ、Ｙｒである場合、Ｘｒ以上の出力データと対応関係にある入力データ群を第１の入力データグループとして、第１の入力データグループに所属するルールを第１の出力データ分布ルールとして計算する。Ｙｒについても同様に第２の出力データ分布ルールを計算する。第１の出力データ分布ルールでは、出力データＮ（Ｘｎ、Ｙｎ）に対してＸｎがＸｒ以上であれば第１または第４の領域、Ｘｒ未満であれば第２または第３の領域と第１の出力データ分布領域候補を算出することで推定できる。第２の出力データ分布ルールでは、出力データＮ（Ｘｎ、Ｙｎ）に対してＹｎがＹｒ以上であれば第１または第２、Ｙｒ未満であれば第３または第４の領域と出力データ分布の候補を第２の出力データ分布領域候補として算出することで推定できる。
【００３０】
最後に処理４０９では、出力データ分布推定部３４３が、出力データ分布ルールを系統断面データ分析装置２０２に入力される前の新規入力データに適用し、分析装置の分析結果である出力データが分布する領域を絞り込み、出力データ分布を推定する。その結果を入力データ管理表５０１の出力データ推定所属ＩＤに登録する。例えば、Ｇ００１は第１領域、Ｇ００２は第２領域、Ｇ００３は第３領域、Ｇ００４は第４領域を示す。
【００３１】
前述の出力データＮ（Ｘｎ、Ｙｎ）は、Ｘｎに関する第１の出力データ分布ルールと、Ｙｎに関する第２の出力データ分布ルールが存在した場合、新規入力データにＸ軸に関する第１の出力データ分布ルールを適用することで出力データが第１または第４の領域か第２または第３の領域か候補を推定する。続いて、Ｙ軸に関する第２の出力データ分布ルールを適用することで出力データが第１または第２の領域か第３または第４の領域か候補を推定する。この第１、第２の出力データ分布ルールで推定した候補を組合せることで４領域から１領域へと、出力データの所属する領域を絞り込むことができる。
【００３２】
＜分布ルール抽出準備部＞
分布ルール抽出準備部３４１では、分割条件および出力データ分布ルールを計算するために、系統断面データ分析装置２０２を監視することで入出力データを収集し、入力データ群を図５の入力データ管理表、出力データ群を図６の出力データ管理表で管理する。
【００３３】
図７にて分布ルール抽出準備部３４１が実行する分布ルール抽出準備フローを示す。この処理により、入力データ管理表（図５）で管理する入力データ群、および出力データ管理表（図６）で管理する出力データ群、出力データ群に入力データ群を対応させて記憶装置３１４に格納される。
【００３４】
まず、系統断面データ収集部３５１が、系統断面データ分析装置２０２を監視し、入力される系統断面データを入力データとして収集する（処理７０１）。
収集した入力データに対して、他の入力データと識別するための入力データＩＤを付与し、入力データに含まれる複数のパラメータとともに記憶装置３１４の入力データ管理表５０１に登録する（処理７０２）。
複数のパラメータとは、例えば電源Ａの出力や位相の値である。続いて、系統断面データ分析装置２０２が入力データを分析し、その結果が出力データとして出力されるまで待機する（処理７０３）。
【００３５】
処理７０４で、分析結果収集部３５２は、結果が出力されたと検知されれば、分析結果を出力データとして収集する（処理７０５）。
その後、入力データと同様に他の出力データと識別するための出力データＩＤを付与し、出力データに含まれる複数のパラメータとともに記憶装置３１４の出力データ管理表６０１に登録する（処理７０６）。
複数のパラメータとは、例えば脆弱エリアの数や脆弱箇所の個数である。最後に、入出力データ関連付け部３５３は、入力データＩＤを出力データと同じ行に登録することで入力データと出力データの関連付けを完了する（処理７０７）。
【００３６】
＜出力データ分布ルール導出部：概要＞
出力データ分布ルール導出部３４２では、入力データ管理表５０１で管理される入力データ群、出力データ管理表６０１で管理される出力データ群および入力データとの対応関係（入力データＩＤ）、の情報を用いて、入力データを系統断面データ分析装置２０２により分析した結果の出力データの分布候補を、分析前に推定可能とする出力データ分布ルールを導出する。
【００３７】
この出力データ分布ルール導出部３４２は２つの処理部から構成される。それぞれ、出力データの分布領域を複数に分割する出力データ分布領域分割部３６１、分析前に出力データが分布する領域の候補を入力データから推定するためのルールを導出するルール導出部３６２である。以降では、各処理部の詳細を説明する。
【００３８】
＜出力データ分布領域分割部＞
実施例１では、出力データがどの領域に所属するかにより入力データとなる系統断面データを管理する。そのため、出力データが全て同じ領域ならば所属領域に違いが出ないため、推定される出力データの違いにより入力データを分類できない。また、入力データの処理優先度を変更するなどのデータ管理もできない。実施例１では、この所属領域の違いが発生するように出力データ分布領域分割部３６１では、出力データ群を特定の１領域に偏らずに複数の領域に分散するように出力データ分布領域を分割する。
【００３９】
なお、出力データ分布領域とは、出力データが存在しうる領域である。例えば出力データが脆弱エリア数Ｘと脆弱箇所Ｙの２パラメータから構成され、任意の出力データＮが（Ｘｎ、Ｙｎ）と表現されるとする。脆弱エリア数の最小値と最大値をＸmin、Ｘmax、脆弱箇所の最小値と最大値をＹmin、Ｙmax、とした場合、Ｘmin≦Ｘｎ≦Ｘmax、Ｙmin≦Ｙｎ≦Ｙmax、の２条件を満たす範囲で出力データ（Ｘｎ、Ｙｎ）は分布する。この分布範囲が出力データ分布領域である。
【００４０】
出力データ分布領域分割部３６１では出力データ分布領域分割フローにより、出力データ分布領域を分割する。その例を図８に示す。出力データ分布領域分割部３６１の処理フローでは、脆弱エリア数Ｘの大小で領域を分割するための分割条件Ｘｒｎと脆弱箇所Ｙの大小で領域を分割するための分割条件Ｙｒｎを４パターン生成し、出力データが複数の領域に分散するように特定の１パターンを選択する。以降、詳細を説明する。
【００４１】
まず、処理８０１では出力データ分布領域分割部３６１が出力データ管理表６０１に登録された複数の出力データを読み込む。読み出した複数の出力データを、複数の出力パラメータの内、脆弱エリア数Ｘと脆弱箇所Ｙの２パラメータを、それぞれＸ軸、Ｙ軸にプロットした出力データ分布とする。
【００４２】
その後、処理８０２では任意の出力データＮのパラメータをＸｎ、Ｙｎ、出力データの各パラメータの最大値をＸmax、Ｙmax、最小値をＸmin、Ｙmin、とし、第１の分割条件（Ｘｒ１、Ｙｒ１）を次の第１の最適化問題を解くことにより導出する。
［第１の目的関数］  Ｍａｘ：（Ｘｒ１−Ｘmin）×（Ｙｒ１−Ｙmin）
［第１の制約条件］  Ｘｎ＞Ｘｒ１ ｏｒ  Ｙｎ＞Ｙｒ１
【００４３】
この第１の最適化問題は、任意の出力データＮのパラメータＸｎ、ＹｎがＸｎ＞Ｘｒ１またはＹｎ＜Ｙｒ１を制約条件としてＸｒ１とＸminの距離およびＹｒ１とＹminとの乗算（Ｘｒ１−Ｘmin）×（Ｙｒ１−Ｙmin）の最大化を目的関数とするＸｒ１、Ｙｒ１を求める。
【００４４】
処理８０３、処理８０４、処理８０５では、それぞれ第１の個別パラメータ分布ルールと同様に第２（Ｘｒ２、Ｙｒ２）、第３（Ｘｒ３、Ｙｒ３）、第４（Ｘｒ４、Ｙｒ４）の分割条件を次に示す目的関数と制約条件から導出する。
［第２の目的関数]Ｍａｘ：（Ｘmax−Ｘｒ２）×（Ｙmax−Ｙｒ２）
［第２の制約条件]Ｘｎ＜Ｘｒ２  ｏｒ  Ｙｎ＜Ｙｒ２
［第３の目的関数]Ｍａｘ：（Ｘmax−Ｘｒ３）×（Ｙｒ３−Ｙmin）
［第３の制約条件]Ｘｎ＜Ｘｒ３  ｏｒ  Ｙｎ＞Ｙｒ３
［第４の目的関数]Ｍａｘ：（Ｘｒ４−Ｘmin）×（Ｙmax−Ｙｒ４）
［第４の制約条件]Ｘｎ＞Ｘｒ４  ｏｒ  Ｙｎ＜Ｙｒ４
【００４５】
処理８０６では、各分割条件（Ｘｒｎ、Ｙｒｎ）により出力データ分布領域を４領域に分割する。第１の領域をＸ＞ＸｒｎかつＹ＞Ｙｒｎ、第２の領域をＸ＜ＸｒｎかつＹ＞Ｙｒｎ、第３の領域をＸ＜ＸｒｎかつＹ＜Ｙｒｎ、第４の領域をＸ＞ＸｒｎかつＹ＜Ｙｒｎ、とする。
【００４６】
その後、処理８０７では各領域に対して、出力データの存在有無を確認する。第１の領域および第３の領域に出力データが存在する場合は図９に示す第１の分割パターン９０１が得られ（処理８０８）、第２の領域および第４の領域に出力データが存在する場合は図９に示す第２の分割パターン９０２となる（処理８０９）。出力データ分布領域が第１の分割パターン或いは第２の分割パターンの何れかとなるよう、各分割条件（Ｘｒｎ、Ｙｒｎ）を適切に設定する。図９は、図２の出力データ分布で示したものと同様、例えば、縦軸Ｘは脆弱エリア数、横軸Ｙｎは脆弱箇所を示したものとする。
【００４７】
図１０に示す出力データ分布領域管理表１００１に分割条件および各領域を示す領域ＩＤ、分割パターンＩＤ、を登録して（処理８１０）、処理を終了する。例えば、分割領域ＩＤ１は、第１の分割パターン９０１、分割領域ＩＤ２は第２の分割パターン９０２を示すものとする。分割パターンＩＤは、例えば、「１−１」ならば、最初の「１」が第１の分割パターンを意味し、次の「１」がシリアル番号である。出力データ分布領域管理表１００１は、系統断面データ管理装置の記憶装置３１４の分割条件データ３３３に格納される。
【００４８】
＜出力データ分布ルール導出部＞
ルール導出部３６２では、入力データを分析する前に分析結果の出力データが分布する出力データ分布領域の候補を推定するための出力データ分布ルールを導出する。出力データ分布ルールとは、特定領域に存在する出力データ群に対応する入力データ群を入力データグループとし、新規入力データが入力データグループに所属するか判定するルールである。ルール導出部３６２は出力データ分布領域管理表１００１に登録した分割パターンＩＤ毎に、この出力データ分布ルールを複数導出する。以降では、出力データ分布ルールの導出過程で生成される入力データグループを管理する図１７の入力データグループ管理表１７０１および図１６の出力データ分布ルール導出フローを参照し、ルール導出部３６２が実行する出力データ分布ルールを導出する処理の詳細を説明する。なお、ここでは第１の分割パターン９０１および第２の分割パターン９０２で出力データ分布領域を４領域に分割した場合を具体例とする。
【００４９】
図１６は、ルール導出部３６２が実行する出力データ分布ルール導出フローを示す図である。
まず、図１６に示した処理１６０１では、出力データ分布領域分割部３６１が出力データ分布領域管理表１００１に登録した分割パターンＩＤ、分割条件Ｘｒ、分割条件Ｙｒの値を受信する。
処理１６０２では、出力データ分布領域管理表１００１には、第１の分割パターン９０１を分割領域ＩＤ１、第２の分割パターン９０２を分割領域ＩＤ２として登録されているので、この分割パターンＩＤより、分割パターンが図９に示した第１の分割パターンか第２の分割パターンか識別する。
【００５０】
第１の分割パターンならば処理１６０４に進み、第２の分割パターンならば処理１６０９に進む。処理１６０４では、出力データ管理表６０１を参照して出力データ群を取得し、Ｘｎ＜Ｘｒｎを満たす出力データＮ（Ｘｎ、Ｙｎ）を第１のグループ９０１１、Ｙｎ＞Ｙｒｎを満たす出力データＮ（Ｘｎ、Ｙｎ）を第２のグループ９０１２とする。具体的には、脆弱エリア数Ｘｎが分割条件Ｘｒｎより小さければ第１のグループ９０１１、脆弱箇所数Ｙｎが分割条件Ｙｒｎより大きい場合には、第２のグループ９０１２とする(図９参照)。出力データＮの第１のグループ９０１１に対応する入力データ群を第１の入力データグループとし、出力データＮの第２のグループに対応する入力データ群を第２の入力データグループとする。
【００５１】
次に処理１６０５では、出力データ管理表６０１の入力データＩＤを参照することで、出力データの対応関係を取得し、出力データが第１のグループに所属する入力データ群を第１の入力データグループとする。この第１の入力データグループは、図１７の入力データグループ管理表１７０１において、処理１６０２で識別した分割パターンＩＤと、処理１６０４または処理１６０９で第１のグループまたは第２のグループと識別した分割領域ＩＤの両方と同一行の入力データグループに追加する。例えば、分割パターンＩＤが１−１で、分割領域ＩＤが１（第１の分割パターン）の場合、第１の入力データ群１７０２に入力データＩＤを追加する。
【００５２】
処理１６０６では、新規入力データが入力された場合に、第１の入力データグループに所属するか、否かを判断する第１の出力データ分布ルールを導出し、そのルールを示すＩＤを図１７の出力データ分布ルール１７０３に登録する。この出力データ分布ルールの導出には、例えば第１の入力データグループを正解データとしてＳＶＭのようなパターン識別の手法を用いる。
【００５３】
続いて、処理１６０７では、処理１６０５と処理１６０６と同様の処理を第２のグループに適用し、新規入力データが入力された場合に第２の入力データグループに所属するか、否かを分類する第２の出力データ分布ルールを導出する。その結果、所属する場合には、図１７の入力データグループ管理表１７０１において、処理１６０２で識別した分割パターンＩＤと、処理１６０４または処理１６０９で第１のグループまたは第２のグループと識別した分割領域ＩＤの両方と同一行の入力データグループに追加する。
【００５４】
処理１６０８では、第１の出力データ分布ルールと第２の出力データ分布ルールを図１７に示した出力データ分布ルール１７０３に登録する。これにより、出力データに関する分割パターンを示すＩＤと分割領域を示す分割領域ＩＤと、分割パターンおよび分割領域に存在する出力データに対応する入力データグループと出力データ分布ルールとを対応させた入力データグループ管理表を作成することができる。また、出力データ分布ルールは、出力データ分布領域管理表１００１において、対応する分割領域ＩＤ、分割パターンＩＤと共に登録する。図１０に示したように、実施例１では、Ｘ軸とＹ軸に関する二つの出力データ分布ルールを同一の分割領域ＩＤに対応させて登録する。
【００５５】
処理１６０９では、第２の分割パターンの場合の処理を行う。この第２の分割パターンの場合には、Ｘｎ＞Ｘｒｎを満たす出力データＮ（Ｘｎ、Ｙｎ）を第１のグループ９０２１、Ｙｎ＞Ｙｒｎを満たす出力データＮ（Ｘｎ、Ｙｎ）を第２のグループ９０２２(図９参照)とする。その後は、処理１６０５から処理１６０７を実行し、処理１６０８で第１、第２の出力データ分布ルールを出力データ分布管理表１００１に登録して処理を終了する。
【００５６】
新規入力データに対して図１７の入力データグループ管理表の出力データ分布ルールを適用し、いずれの入力データグループに所属するか決定することができる。さらに、同一行の分割パターンＩＤと分割グループＩＤから新規入力データに対する分析後の出力分布の所属領域の候補を分析実行前に推定することができる。
【００５７】
さらに、図１０の出力データ分布領域管理表に登録された第１の出力データ分布ルールおよび第２の出力データ分布ルールの両方を新規入力データに適用することで、分析後の出力分布の所属領域の候補を絞り込むことができる。このように分析実行前に候補を推定することで、分析結果が不要と判定される場合には分析自体を実行せずに他の新規入力データを分析することができる。これにより、不要な分析を削減し、分析を効率化することができる。
【００５８】
所属領域については、例えば第１の出力データ分布ルールを適用することで図９の出力データ分布の第１の分割パターン９０１における第１および第２の領域にまたがる領域９０１２に出力データが分布すると推定できる。一方、第２の出力データ分布ルールを適用することで図９の出力データ分布の第１の分割パターン９０１における第２および第３の領域にまたがる領域９０１１に出力データが分布すると推定できる。これら複数の出力データ分布領域の候補を組合せることで、その重なる領域へと出力データ分布領域を絞り込むことができる。以降では、出力データ分布推定部３４３が行う出力データ分布領域を絞り込む処理について説明する。
【００５９】
＜個別パラメータ分布ルール組合せ部＞
＜出力データ分布推定部：概要＞
出力データ分布推定部３４３では、出力データ分布ルール導出部３４２にて導出した複数の出力データ分布ルールを組み合わせることで、系統断面データ分析装置の出力データの分布を入力データから推定する。
【００６０】
この出力データ分布推定部３４３は２つの処理部から構成される。それぞれ、分析後の出力データの分布を推定する対象となる入力データを取得する新規入力データ取得部３７１、新規入力データ取得部３７１で取得した入力データに複数の出力データ分布ルールを適用して出力データの分布を推定する出力データ分布ルール組合せ部３７１である。以降では、新規入力データ取得部３７１と出力データ分布ルール組合せ部３７１により実現する出力データ分布推定を図１１に示す出力データ分布推定フローにより説明する。
【００６１】
＜出力データ分布推定部＞
まず、処理１１０１では、新規入力データ取得部が系統断面データ生成装置３０２を監視する。系統断面データ生成装置３０２が系統断面データ分析装置の入力となる系統断面データを生成した際に、系統断面データを新規入力データとして新規入力データ取得部が取得し処理１１０２に進む。
【００６２】
処理１１０２では、出力データ分布ルール組合せ部３７２が出力データ分布領域管理表１００１から任意の行に記載の第１の出力データ分布ルール（例えば、Ｘ軸に対応するルール）と第２の出力データ分布ルール(例えば、Ｙ軸に対応するルール)を取得する。ここで選択する行は任意の１行でも良いし、複数または全ての行に対して以降の処理１１０３から処理１１０６を実施しても良い。
【００６３】
その後、処理１１０３では、新規入力データに第１の出力データ分布ルールを適用し、第１のグループ所属か所属しない（無所属）かを、推定する。例えば、図９の第１の分割パターン９０１において、第１の出力データ分布ルールは出力データがＸｎ＜Ｘｒｎを満たす第１のグループ所属か、Ｘｎ＜Ｘｒｎを満たさないかにわけることができる。これと第１から第４の領域との関係は、第１の分割パターン９０１において、出力データが第１のグループに所属する際には第１の領域もしくは第４の領域と、出力データの分布領域の候補を推定することとなる。
【００６４】
処理１１０４では、新規入力データに第２の出力データ分布ルールを適用し、第２のグループ所属か所属しない（無所属）か推定する。例えば、図９の第１の分割パターン９０１において、第２の出力データ分布ルールは出力データがＹｎ＞Ｙｒｎを満たす第２のグループ所属か、Ｙｎ＞Ｙｒｎを満たさないかにわけることができる。第１の分割パターン９０１において、出力データが第２のグループに所属する際には第１の領域もしくは第２の領域と、出力データの分布領域の候補を推定することとなる。
【００６５】
処理１１０５では、処理１１０３および処理１１０４で第１、第２の出力データ分布ルールから推定した複数の出力データの分布領域候補を組み合わせることで出力データの分布領域を絞り込む。例えば、処理１１０３にて出力データ分布領域候補を第１もしくは第４の領域と推定し、処理１１０５にて出力データ分布領域候補を第１もしくは第２の領域と推定したならば、その組合せにより出力データ分布領域は第１の領域と推定できる。
【００６６】
処理１１０６では、処理１１０５で絞り込んだ出力データの分布領域のＩＤを入力データ管理表５０１の出力データ推定所属グループＩＤに登録して処理を終了する。なお、処理１１０２において、出力データ分布領域管理表１００１から複数行を選択し、複数の出力データ推定所属グループＩＤを導出した場合には、それら複数の出力データ推定所属グループＩＤを登録する。
【００６７】
実施例１によれば、入力データと出力データの関係性が非線形であっても出力データ分布のパターンから導出した出力データ分布ルールにより、出力データの分布領域を推定することができる。これにより、入力データに対し非線形の関係の出力データとして知られる電力系統について、入力データを分析装置で分析する前に、出力データの分布を予測できるので、電力系統や水道系統の障害等の予兆検知を行うことが可能となる。
【００６８】
例えば、図９の第１の分割パターン９０１で示すように出力データが第４の領域に存在しない場合においても、入力データに第１、第２の複数の出力データ分布ルールを適用することで、第４の領域に出力データが分布することを推定することができる。
【００６９】
また、実施例１では理解を容易にするため、出力データを２パラメータから構成されるデータとし、出力データ分布領域を４分割したが、３パラメータとして８分割、４パラメータとして１６分割と、２にパラメータ数を乗じた分割数としてもよい。または、３パラメータ以上であっても複数パラメータから２パラメータを選び出して出力データ分布領域を４分割してもよい。
【実施例２】
【００７０】
実施例２は、実施例１において出力データの分布領域を推定した結果を用いて系統断面データを管理する例を示す。実施例２により、系統断面データの分析を行う分析者は、過去の分析結果と類似の出力データが得られると推定される入力データを分析する優先度を下げることで不要な分析処理を削減し、分析の効率化を図ることができる。一般に実施例１で示した系統断面データ分析装置２０２は、その分析には多くの時間を要するため、出力データが推定できる入力データについては、その分析を省略することで、不要な分析処理を削減することができる。尚、実施例２において、実施例１と同じ構成の説明には同じ符号を付し、説明を省略する。
【００７１】
さらに、入力データを推定される出力データの分布領域ごとにまとめて管理し可視化することで、分析をする優先度の高い入力データの数や、その数から分析業務時間の見通しを立てることができる。
【００７２】
図１２は実施例２におけるデータ管理情報を出力する系統断面データ管理装置の例である。データ管理情報を出力する系統断面データ管理装置は、図１３に示す系統断面データ管理画面を出力するため、系統断面データ管理装置３０１にデータ管理情報出力部１２０１を追加した装置である。データ管理情報出力部１２０１は、管理対象の入力データ一覧を画面に表示するためのデータ一覧表示部１２１１、入力データに対して分析した結果の出力データの分布を表示する出力データ分布表示部１２１２から構成される。
【００７３】
以下、図１３の系統断面データ管理画面の例を参照して、過去の分析結果と相違する出力データが得られると推定される入力データを分析対象に選択する例を説明する。
【００７４】
出力データ分布表示部１２１２は出力データ管理表６０１を参照し、出力データを系統断面データ管理画面において散布図１３０５で表現される分析結果にプロットする。その後、分析結果の領域を分割する領域分割を行う。
【００７５】
領域分割では、出力データ分布領域管理表１００１を参照し、分割条件Ｘｒと分割条件Ｙｒの値を取得する。これら取得した値により、出力データの分布を分割した結果を分析結果の画面１３０５に表示する。例えば、ＸｒとＹｒの２値で分割した場合には領域は４分割され、それぞれの領域を一意に示す領域ＩＤとして（1）から（4）の番号を表示する図１３では各領域を丸付き数字で表している。
【００７６】
データ一覧表示部１２１１は、入力データ管理表５０１より入力データＩＤ、出力データ所属グループＩＤ、出力データ推定所属グループＩＤの一覧を取得する。その後、入力データＩＤは系統断面データ管理画面のデータＩＤ１３０１に表示する。出力グループＩＤおよび出力データ推定所属グループＩＤについては、各ＩＤが対応する領域を散布図１３０５に表示した分割後の４領域から特定し、それぞれの領域ＩＤ（1）から（4）の番号を分析結果分布領域１３０２および推定分布領域１３０３に表示する。
【００７７】
この時、データ分析前で出力データ所属グループＩＤが存在しない場合は、未済と分析前とわかるようにする。分析済みのデータに対しては、行の背景色を変更しても良い。
これらの表示により、例えば系統断面データを分析する分析者がデータ一覧表と分析結果を確認することで過去の分析と異なる領域に出力データが分布する可能性のある入力データを分析する前に特定することができる。
【００７８】
系統断面データ管理画面においてはデータ一覧表のデータを選択可能にしておき、選択すると、入力データ管理表１００１から各パラメータを取得して系統断面データに表示、描画してもよい。また、分析対象としてデータＩＤを記載して分析実行ボタンを押下することでデータＩＤにより特定される入力データを即時に分析、優先的に分析しても良い。この際、過去に分析にかかった時間から分析見込み時間を表示しても良い。
【実施例３】
【００７９】
実施例３は、実施例１において、出力データ分布領域を分割した結果を用いて系統断面データのパラメータ候補を出力する例を示す。実施例３により、系統断面データの分析を行う分析者や系統断面データを生成する計画者は、所望の出力データを得るための入力データ、つまり系統断面データのパラメータ候補の情報が得られる。パラメータ候補の情報により、分析者や計画者は所望の出力データが得られるまで実施する試行錯誤の作業となる系統断面データの生成、分析の繰り返し回数を低減し、系統断面データの分析や計画の業務時間を低減、効率化できる。尚、実施例３において、実施例１と同じ構成の説明には同じ符号を付し、説明を省略する。
【００８０】
図１４は実施例３におけるパラメータ候補を出力する系統断面データ管理装置の例である。パラメータ候補を出力する系統断面データ管理装置は、図１５に示すパラメータ候補提示画面を出力するため、実施例１の系統断面データ管理装置３０１にパラメータ候補出力部１４０１を追加した装置である。パラメータ候補出力部１４０１は、分析者や計画者が所望する出力データの領域を選択領域として受信する選択領域受信部１４１１、選択領域と関連する入力データを収集する候補データ収集部１４１２、収集した入力データから選択領域に出力データが所属するための入力データのパラメータ候補を導出するパラメータ候補導出部１４１３から構成される。
【００８１】
以下、図１５のパラメータ候補提示画面の例を参照して、分析者や計画者が系統断面データのパラメータ候補を取得する例を示す。まず、選択領域受信部１４１１は分析者や計画者により選択された分析結果の領域情報を選択領域として受信する。この選択領域は例えば、(1)から（４）に分割された領域としても良いし、例えば、図１５のように、分析結果が表示され領域から分析者や計画者が描画ツールなどで所望の領域を囲う形１５０５で選択しても良い。続いて、候補データ収集部は選択領域の情報を用いて関連する入力データを入力データ管理表５０１から検索して収集する。この検索方法は例えば、選択領域の値域として脆弱箇所は１３から１７、脆弱エリア数は４から６と選択領域内にデータが存在した場合のパラメータ候補を導出する。その後、出力データ管理表６０１より、脆弱箇所が１３から１７の出力データ、脆弱エリア数が４から６の出力データをそれぞれ収集する。ここで得られた出力データ群から、出力データ管理表で管理される入力データＩＤを介して関連する入力データ群を収集する。
【００８２】
パラメータ候補導出部１５１３では、収集した入力データ群について、入力データ管理表５０１で管理される入力パラメータを取り出し、図１５に示すパラメータ候補提示画面１５０６に系統断面データのパラメータ１５０７として表示する。ここで表示する値は入力パラメータ候補を羅列してもよいし、パラメータ候補の最大値と最小値を表示してもよい。また、出力データが分布していた領域により、パラメータ候補をわけて表示してもよい。例えば、脆弱箇所が１３から１７の場合のパラメータと脆弱エリア数は４から６の場合のパラメータと違いがわかるように色を変えるなどして表示してもよい。
【００８３】
なお、本技術は上記した実施例に限定されるものではなく、様々な変形例が含まれる。例えば、上記した実施例は本技術を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、SSD（Solid State Drive）等の記録装置、または、ICカード、SDカード、DVD等の記録媒体に置くことができる。
【符号の説明】
【００８４】
２０２：系統断面データ分析装置、３０１：系統断面管理装置、３０２：系統断面データ生成装置、３１１：メモリ、３１２：ＣＰＵ、３１４：記憶装置、３４１：分布ルール抽出準備部、３４２：出力データ分布ルール導出部、３４３：出力データ分布推定部、１２０１：データ管理情報出力部、１４０１：パラメータ候補出力部。
【図１】
2019221008.tif 000003
【図２】
2019221008.tif 000004
【図３】
2019221008.tif 000005
【図４】
2019221008.tif 000006
【図５】
2019221008.tif 000007
【図６】
2019221008.tif 000008
【図７】
2019221008.tif 000009
【図８】
2019221008.tif 000010
【図９】
2019221008.tif 000011
【図１０】
2019221008.tif 000012
【図１１】
2019221008.tif 000013
【図１２】
2019221008.tif 000014
【図１３】
2019221008.tif 000015
【図１４】
2019221008.tif 000016
【図１５】
2019221008.tif 000017
【図１６】
2019221008.tif 000018
【図１７】
2019221008.tif 000019